(57)【要約】【課題】  遊技機を提供する。【解決手段】  遊技機の所定位置にヒンジ機構５９によって開閉可能に設けられた開閉体６０の所定位置に装備ユニット８０が装着され、装備ユニット８０内には、回路基板１００が組み込まれている。【選択図】        図８
2006034513.tif 000002
【特許請求の範囲】
【請求項１】
開閉可能な開閉体の所定位置に装備ユニットが装着され、前記装備ユニット内には、回路基板が組み込まれていることを特徴とする遊技機。
【発明の詳細な説明】
【技術分野】
【０００１】
この発明は、球（パチンコ球）を用いて遊技を行う遊技機（例えば、パチンコ機）やメダルを用いて遊技を行う遊技機（例えば、スロットマシン）に関する。
【背景技術】
【０００２】
従来、遊技機の所定位置に開閉可能に設けられた開閉体の所定位置に、例えば、表示ユニット、球払出ユニット等の各種の装備ユニットが装着され、これら装備ユニットに回路基板が組み込まれたものが知られている。
また、開閉体の所定位置に装備ユニットが装着された状態において、開閉体が閉じ状態、開き状態、いずれの状態にあっても、回路基板の前後に配置された前後の両不透明部材によって回路基板の前後両面が視認不能に覆われているのが一般的である。
例えば、遊技機の前側に開閉可能に設けられかつ遊技領域を透視可能な窓板を有するガラス扉によって開閉体が構成され、そのガラス扉の金属製扉本体フレームの前側に装備ユニットとしての表示ユニットが装着された場合、その表示ユニットに組み込まれた回路基板の後側は金属製扉本体フレーム（後側の不透明部材）によって覆われ、回路基板の前側は、表示ユニットの前側構成体によって覆われる。
なお、透明な合成樹脂材よりなる基板ボックス（基板カバー）内に収納された回路基板（例えば、制御基板）の一面（実装面）に、基板情報（例えば、基板番号、製造年月日、製造者名、機種名等の基板情報）を表示し、回路基板の基板情報を透明な基板ボックスを透して視認可能に構成したものが知られている（例えば、特許文献１参照）。
【特許文献１】特許第３１２７９１４号公報
【発明の開示】
【発明が解決しようとする課題】
【０００３】
ところで、ガラス扉の金属製扉本体フレームの前側に表示ユニットが装着された場合、その表示ユニットに組み込まれた回路基板の後側は金属製扉本体フレーム（後側の不透明部材）によって覆われ、回路基板の前側は、表示ユニットの前側構成体（前側の不透明部材）によって覆われることになり、回路基板の存在を視認することができない。
そこで、表示ユニットの前側構成体を透明な合成樹脂材によって形成したり、部分的に透視可能に構成することで、回路基板の存在が視認可能になるが、表示ユニット内部が露呈され見栄えが悪化されるため、このような構造は採用されない。
このため、表示ユニットに組み込まれた回路基板が正規のものであるか否かを確認する場合には、扉本体フレームから表示ユニットを取り外さなければならず、その取り外し作業やその後の装着作業に多くの手間を必要とし、厄介であった。
【０００４】
この発明の目的は、前記問題点に鑑み、開閉体の所定位置に装備ユニットが装着された状態において、装備ユニットに組み込まれた回路基板の存在を容易に視認することができるとともに、その回路基板が正規のものであるか否かの判断を的確に行うことができる遊技機を提供することである。
【課題を解決するための手段】
【０００５】
前記目的を達成するために、請求項１の発明に係る遊技機は、
「開閉可能な開閉体の所定位置に装備ユニットが装着され、前記装備ユニット内には、回路基板が組み込まれた遊技機であって、
前記開閉体の所定位置に前記装備ユニットが装着された状態において、前記開閉体が閉じ状態、開き状態、いずれの状態にあっても前記回路基板の表裏両面が、同回路基板の前後に配置された前後の両不透明部材によって覆われ、
前記開閉体が開かれることで、前記後側の不透明部材が視認可能にされ、
前記後側の不透明部材には、前記回路基板の一面を局部的に透視可能な透視部が形成され、
前記回路基板のその一面には、前記後側の不透明部材の透視部に対応する位置において基板情報が表示されていることを特徴とする遊技機。」
を要旨とする。
【０００６】
前記構成において、開閉体の所定位置に装備ユニットが装着された状態において、その装備ユニットに組み込まれた回路基板の存在や、同回路基板が正規のものであるか否かを判断する場合、開閉体がヒンジ機構を支点として開かれることで、回路基板の後側の不透明部材が視認可能にされる。
そして、後側の不透明部材に形成された透視部を透して回路基板の一面が視認されるとともに、同回路基板のその一面に表示された基板情報を視認することによって、その回路基板が正規のものであるか否かの判断を的確に行うことができる。
【０００７】
請求項２の発明に係る遊技機は、
「請求項１に記載の遊技機であって、
前側の不透明部材は、装備ユニットの構成体によって構成され、
後側の不透明部材は、装備ユニットが装着される開閉体のユニット装着部によって構成されていることを特徴とする遊技機。」
を要旨とする。
【０００８】
前記構成において、装備ユニットの構成体と、開閉体のユニット装着部とを、その各部の用途に適した不透明な合成樹脂材や金属材によって形成した上で、開閉体のユニット装着部の透視部を透して回路基板の一面の基板情報を視認することができる。
【０００９】
請求項３の発明に係る遊技機は、
「請求項２に記載の遊技機であって、
開閉体は、遊技機の前側にヒンジ機構によって開閉可能に設けられかつ遊技領域を透視可能な窓板を有するガラス扉であり、
装備ユニットは、前記ガラス扉の扉本体フレーム前側のユニット装着部を後側の不透明部材として装着された表示ユニットによって構成され、
前側の不透明部材は、表示ユニットの構成体によって構成されていることを特徴とする遊技機。」
を要旨とする。
【００１０】
前記構成において、表示ユニットの構成体を、不透明な合成樹脂材によって形成して外観意匠性を確保し、ガラス扉の扉本体フレームを金属板によって形成して剛性や耐久性を確保しながら、扉本体フレームの透視部を透して回路基板のその一面の基板情報を視認することができる。
【００１１】
請求項４の発明に係る遊技機は、
「請求項１に記載の遊技機であって、
前側の不透明部材は、装備ユニットが装着される開閉体のユニット装着部によって構成され、
後側の不透明部材は、装備ユニットの構成体によって構成されていることを特徴とする遊技機。」
を要旨とする。
【００１２】
前記構成において、開閉体のユニット装着部と、装備ユニットの構成体とを、各部の用途に適した不透明な合成樹脂材や金属材によって形成した上で、装備ユニットの構成体の透視部を透して回路基板のその一面の基板情報を視認することができる。
【００１３】
請求項５の発明に係る遊技機は、
「請求項４に記載の遊技機であって、
開閉体は、遊技機の外枠にヒンジ機構によって開閉可能に装着されかつ遊技盤が着脱可能に装着される本体枠であり、
装備ユニットは、前記本体枠の後側に設けられたユニット装着部を前側の不透明部材として装着されかつ球を遊技機の前側に払い出す球払出ユニットによって構成され、
後側の不透明部材は、前記球払出ユニットの構成体であることを特徴とする遊技機。」
を要旨とする。
【００１４】
前記構成において、本体枠や球払出ユニットの構成体を、不透明な合成樹脂材のうち、材料費、強度、耐久性等を考慮の上、適宜に材料選択して形成した上で、球払出ユニットの構成体の透視部を透して回路基板の一面の基板情報を視認することができる。
【００１５】
請求項６の発明に係る遊技機は、
「請求項１〜５のいずれか一項に記載の遊技機であって、
回路基板の一面の基板情報は、同回路基板のその一面の配線パターンを形成する銅箔の一部によって形成され、前記配線パターンとともに透明な絶縁層によって覆われていることを特徴とする遊技機。」
を要旨とする。
【００１６】
前記構成において、回路基板の一面の配線パターンを形成すると同時に基板情報を形成することができるとともに、その表面が透明な絶縁層によって覆われて保護される。
このため、回路基板の一面の透明な絶縁層の表面にシルク印刷等によって基板情報が表示された場合と比較して印刷コストの低減を図ることができる。
さらに、基板情報が透明な絶縁層によって保護されるため、摩擦等によって基板情報が消失され難い。
【発明の効果】
【００１７】
この発明に係る遊技機によれば、開閉体がヒンジ機構を支点として開かれることで、後側の不透明部材に形成された透視部を透して装備ユニットの回路基板の一面に表示された基板情報を視認することができるため、回路基板の存在や、その回路基板が正規のものであるか否かの判断を容易にかつ的確に行うことができる。
【発明を実施するための最良の形態】
【００１８】
次に、この発明を実施するための最良の形態を実施例にしたがって説明する。
【実施例１】
【００１９】
図１は遊技機を斜め右上前方から示す斜視図である。図２は遊技機の前側全体を示す正面図である。図３は遊技機の外枠の一側に本体枠が開かれその本体枠の一側にガラス扉が開かれた状態を示す斜視図である。図４はガラス扉と表示ユニットとを分離して斜め左上前方から示す斜視図である。図５はガラス扉を斜め左上後方から示す斜視図である。図６は表示ユニットを前側から示す斜視図である。図７は表示ユニットの構成部材を分離した状態を前側から示す斜視図である。図８は表示ユニットの構成部材を分離した状態を後側から示す斜視図である。図９は図５のＩＸ−ＩＸ線に基づく断面図である。図１０は表示ユニットの回路を示す断面図である。なお、説明の便宜上、遊技機において遊技者側を前、反対側を後として説明する。
この発明の実施例１においては、開閉体が遊技機の所定位置に開閉可能に設けられるガラス扉６０によって構成され、装備ユニットがガラス扉６０の所定に装着された表示ユニット８０によって構成された場合を例示する。
【００２０】
［遊技機の概要について］
図１〜図３に示すように、遊技機としてのパチンコ機は、外枠１０、本体枠２０、遊技盤４０、ガラス扉６０等を備えて構成されている。
外枠１０は、上下左右の枠材によって縦長四角形の枠状に形成され、同外枠１０の前側下部には、本体枠２０の下面を受ける下受板１５を有している。
外枠１０の前面の一側には、本体枠開閉用ヒンジ機構１６によって本体枠２０が前方に開閉可能に装着されている。
【００２１】
また、図３に示すように、本体枠２０は、前枠体２１、遊技盤装着枠２２及び機構装着体２３を不透明な合成樹脂材によって一体成形することで構成されている。
本体枠２０の前部を構成する前枠体２１は、外枠１０前側の下受板１５を除く外郭形状に対応する大きさの矩形枠状に形成されている。
【００２２】
［遊技盤について］
図３に示すように、本体枠２０の前枠体２１に一体に形成された遊技盤装着枠２２には遊技盤４０が前方から着脱交換可能に装着されるようになっている。
遊技盤４０の盤面（前面）には、外レールと内レールとを備えた案内レール４１が設けられ、その案内レール４１の内側に遊技領域４２が区画形成されている。
遊技盤４０には、その遊技領域４２内において、遊技に関する役物装置、例えば、センタ役物と呼ばれる役物装置４３が装着され、その役物本体４４には、その中央部に形成された開口部に表示面を臨ませて図柄表示装置（例えば、液晶表示器、ＥＬ表示器，プラズマ表示器，ＣＲＴ等）４５が装着されている。また、遊技盤４０の盤面（前面）の遊技領域４２内には図示しない入賞器、風車器、誘導釘等の各種の装備品が配設されている。
【００２３】
図３に示すように、本体枠２０の前枠体２１の前側において、遊技盤装着枠２２よりも下方に位置する前枠体２１の前下部領域の一側寄りには、スピーカ装着板３４を介してスピーカ（この実施例では低音用スピーカ）３５が装着されている。
また、前枠体２１前面の下部領域内の上側部分には、遊技盤４０の発射通路に向けて球を導く発射レール３０が傾斜状に装着されている。
また、前枠体２１前面の下部領域内の下側部分には、下前面部材３１が装着されている。下前面部材３１の前面の略中央部には、下皿３２が設けられ、片側寄りには操作ハンドル３３が設けられている。
【００２４】
［施錠装置について］
図３に示すように、本体枠（前枠体２１）２０のヒンジ機構と反対側に自由端側の後側には、外枠１０に対し本体枠２０を施錠する機能と、本体枠２０に対し後に詳述するガラス扉６０を施錠する機能とを兼ね備えた施錠装置５０が装着されている。
すなわち、施錠装置５０は、外枠１０に設けられた閉止具１７に係脱可能に係合して本体枠２０を閉じ状態に施錠する上下複数の本体枠施錠フック５３と、後述するガラス扉６０の自由端側の後側に設けられた閉止具６６に係脱可能に係合してガラス扉６０を閉じ状態に施錠する上下複数の扉施錠フック５６とを備えている。
そして、シリンダー錠５７の鍵穴に鍵が挿入されて一方向に回動操作されることで本体枠施錠フック５３と外枠１０の閉止具１７との係合が外れて本体枠２０が解錠され、これとは逆方向に回動操作されることで、扉施錠フック５６とガラス扉６０の閉止具６６との係合が外れてガラス扉６０が解錠されるようになっている。
なお、シリンダー錠５７の前端部は、遊技機の前方から鍵を挿入して解錠操作可能に、前枠体２１及び下前面部材３１を貫通してその下前面部材３１の前面に露出されている。
【００２５】
［開閉体としてのガラス扉について］
図３と図４に示すように、本体枠（前枠体２１）２０の前面の一側には、扉開閉用ヒンジ機構５９によってガラス扉６０が前方に開閉可能に装着されている。
図４と図５に示すように、ガラス扉６０は、扉本体フレーム６１、音響電飾ユニット７０、左右一対のサイド電飾ユニット７３、上皿７４、表示ユニット８０等を備えて構成されている。
扉本体フレーム６１は、プレス加工された単数または複数の金属板によって形成され、本体枠２０の前枠体２１の上端から下前面部材３１の上縁にわたる部分を覆う大きさに形成されている。
図４と図５に示すように、扉本体フレーム６１の略中央部には、遊技盤４０の遊技領域４２を前方から透視可能な略円形の開口窓６２が形成されている。また、扉本体フレーム６１の後側には開口窓６２よりも大きい矩形枠状をなす窓枠６３が設けられ、その窓枠６３にはガラス板、透明樹脂板等の透明な窓板６５が装着されている。
【００２６】
［ガラス扉の前側構成について］
図４に示すように、扉本体フレーム６１の前側には、その開口窓６２の周縁部の上部に沿って、ユニット化された音響電飾ユニット（トップランプユニット）７０がビス等によって装着されている。
音響電飾ユニット７０の左右両側部にはスピーカカバー７１を前側に有するスピーカ（この実施例では中高音用スピーカ）７２が装着されている。
また、音響電飾ユニット７０の透明なカバー体によって覆われた状態で複数の光源が配置されたランプ基板（図示しない）が配設されている。
また、図４に示すように、扉本体フレーム６１の前側には、その開口窓６２の周縁部の左右両側部に沿って左右一対のサイド電飾ユニット７３が装着されている。
【００２７】
［装備ユニットとしての表示ユニットについて］
図４に示すように、扉本体フレーム６１の前側には、その開口窓６２の周縁部の下部に沿いかつ左右一対のサイド電飾ユニット７３の下端部の後側と扉本体フレーム６１の前面との間に両端部が挟まれた状態で不透明な合成樹脂材よりなるユニット取付ベース７５が配置されている。
そして、扉本体フレーム６１の前側、すなわち、ユニット取付ベース７５の前面には、装備ユニットとしての表示ユニット８０が装着されている。
【００２８】
表示ユニット８０は、遊技機の片側に設置される球貸機（図示しない）のカード挿入口に挿入されたカード（プリペードカード）に記憶されている球貸度数を表示するものであり、図６〜図９に示すように、その前側から後側に向けて前面装飾枠８１、ユニット本体９０、貸球操作ボタン９６、返却操作ボタン９７、及び回路基板１００を順に備え、これら各部材が相互に組み付けられてユニット化されている。
図７に示すように、表示ユニット８０に組み込まれた回路基板１００の前面（表面の実装面）の略中央部には、遊技機の片側に設置される球貸機（図示しない）のカード挿入口に挿入されたカード（プリペードカード）に記憶されている球貸度数を７セグメント表示によって表示する度数表示器１１０が設置され、その左右両側部には、貸球スイッチ１１１及び返却スイッチ１１２がそれぞれ設置されている。
【００２９】
図７〜図９に示すように、前面装飾枠８１は、不透明な合成樹脂材によって略四角枠状に形成され、その中央部には、ユニット本体９０が嵌込まれて一体に組み付けられる開口部８２が形成されている。
また、前面装飾枠８１の左右の両枠部の後面には、取付用ボス８３が後方に向けて突設されている。
【００３０】
［表示ユニットのユニット本体について］
図７〜図９に示すように、ユニット本体９０は、不透明な合成樹脂材によって略四角形状に形成され、前面装飾枠８１の開口部８２に嵌込まれて一体に組み付けられる。このユニット本体９０の略中央部には、回路基板１００の度数表示器１１０に対応する透孔９１が形成され、左右両側部には、貸球操作ボタン９５と返却操作ボタン９６に対応するボタン孔９２、９３が形成されている。
また、図７に示すように、ユニット本体９０の上縁部には、回路基板１００の上端部を弾性的に係止する左右一対の基板係止爪９４が形成されている。
また、図８に示すように、ユニット本体９０の下縁部には、回路基板１００の下端部を掛け止めする左右一対の基板係止片９５が形成されている。
【００３１】
すなわち、ユニット本体９０の各ボタン孔９２、９３に貸球操作ボタン９５と返却操作ボタン９６とがそれぞれ嵌込まれた状態で、回路基板１００の下端部を基板係止片９５に掛け止めし、同回路基板１００の上端部を基板係止爪９４によって弾性的に係止することによって、ユニット本体９０の後側に回路基板１００が装着される。そして、この状態において、ユニット本体９０の透孔９１に、回路基板１００の度数表示器１１０が嵌込まれて露出され、貸球操作ボタン９５と返却操作ボタン９６とが回路基板１００の貸球スイッチ１１１と返却スイッチ１１２とをスイッチ操作可能に前後方向に所定ストロークだけ移動可能に保持されるようになっている。
【００３２】
前記したように、前面装飾枠８１、ユニット本体９０、貸球操作ボタン９６、返却操作ボタン９７、及び回路基板１００が相互に組み付けられることでユニット化された表示ユニット８０が構成される。
そして、図８と図９に示すように、表示ユニット８０は、その前面装飾枠８１の左右の両取付用ボス８３がユニット取付ベース７５のボス挿通孔７８に挿通された状態で、扉本体フレーム６１の後側からその取付孔を通して取付ネジ８５が取付用ボス８３にねじ込まれることで、扉本体フレーム６１のユニット取付ベース７５の前側に着脱可能に装着されるようになっている。このようにして、扉本体フレーム６１の後側から取付ネジ８５を締め付けたリ緩めて外すことによって、扉本体フレーム６１の前側にユニット取付ベース７５を介して表示ユニット８０を容易に着脱することができる。このため、扉本体フレーム６１に対し表示ユニット８０を取り外した状態で保守・点検、故障時の修理、回路基板１００の脱着交換等を容易に行うことができ、サービス性の向上を図ることができる。
【００３３】
図９に示すように、開閉体としてのガラス扉６０の扉本体フレーム６１の前側に、装備ユニットとしての表示ユニット８０が装着された状態において、ガラス扉６０が閉じ状態、開き状態、いずれの状態にあっても回路基板１００の表裏両面（前後両面）が、同回路基板１００の前側に配置された不透明部材としてのユニット本体９０と、同回路基板１００の後側に配置された不透明部材としての扉本体フレーム６１によって覆われるようになっている。
そして、図３と図５に示すように、ガラス扉６０が開かれることで、後側の不透明部材としての扉本体フレーム６１が視認可能に構成されている。
なお、扉本体フレーム６１の後側には、透明な合成樹脂材より形成された透明部品６９が装着される場合があり、この場合には透明部品６９を透して扉本体フレーム６１が視認可能となる。
【００３４】
［扉本体フレームの透視部と回路基板の基板情報について］
図８に示すように、後側の不透明部材としての扉本体フレーム６１には、回路基板１００の一面（後面）を局部的に透視可能な角孔状の透視部６１ａが形成されている。
また、この実施例１においては、回路基板１００の後側に位置するユニット取付ベース７５に対しても、扉本体フレーム６１の透視部６１ａに対応する位置において切り欠き状の透視部７５ａが形成されている。
【００３５】
一方、図８に示すように、回路基板１００の一面（後面の非実装面）には、扉本体フレーム６１及びユニット取付ベース７５の透視部６１ａ、７５ａに対応する位置において、基板番号、製造年月日、製造者名、機種名等の基板情報１０７が表示されている。
図１０に示すように、回路基板１００は、絶縁材よりなるベース板１０１の表裏両面には、銅箔によって配線パターン１０３、１０６がそれぞれ形成され、その配線パターン１０３、１０６が透明な絶縁層１０４、１０８によってそれぞれ覆われることで回路基板１００が構成されている。
また、回路基板１００の一面の基板情報１０７は、同回路基板１００の一面の配線パターン１０３を形成する銅箔の一部によって形成され、配線パターン１０３とともに透明な絶縁層１０４によって覆われている。
【００３６】
前記したように、回路基板１００の一面に配線パターンを形成する銅箔の一部によって基板情報１０７を形成することで、例えば、回路基板１００の一面にシルク印刷等によって基板情報が表示された場合と比較して印刷コストの低減を図ることができる。さらに、基板情報１０７が透明な絶縁層１０４によって保護されるため、摩擦等によって基板情報１０７が消失され難い。
また、回路基板１００の反対面（前面の実装面）においては、シルク印刷等によって基板情報が必要に応じて表示される。
【００３７】
なお、図２０に示すように、回路基板１００及び球貸機は、接続端子板を介して払出制御基板１２８にそれぞれ電気的に接続されている。そして、球貸機のカード挿入口に挿入されたカード（プリペードカード）に記憶されている球貸度数が球貸機によって読みとられ、その信号が接続端子板を介して払出制御基板１２８に伝達される。そして、これに基づいて、払出制御基板１２８から接続端子板を介して、回路基板１００に伝達される制御信号によって、回路基板１００の度数表示器１１０には、カードの球貸度数に対応する表示（７セグメント表示）がなされるようになっている。
【００３８】
また、貸球操作ボタン９６を押圧操作して貸球スイッチ１１１を作動することで、その信号が接続端子板を介して払出制御基板１２８に伝達される。これによって、球払出ユニット１４０の払出モータ１６０が作動され、所定数の球が遊技機の前側の上皿７４に払い出される。さらに、返却操作ボタン９７を押圧操作して返却スイッチ１１２を作動することで、その信号が接続端子板を介して払出制御基板１２８に伝達される。これによって、球貸機のカード挿入口に挿入されたカードが同カード挿入口から取り出し可能に突出されるようになっている。
【００３９】
［実施例１の作用効果について］
上述したように構成されるこの実施例１において、ガラス扉６０の所定位置に表示ユニット８０が装着された状態において、その表示ユニット８０に組み込まれた回路基板１００の存在や、同回路基板１００が正規のものであるか否かを判断する場合、本体枠２０に対し扉開閉用ヒンジ機構５９を支点としてガラス扉６０が開かれる。
これによって、回路基板１００の後側の不透明部材としての扉本体フレーム６１の後面が透明部品を透して視認可能となる。
そして、図９に示すように、扉本体フレーム６１及びユニット取付ベース７５の透視部６１ａ、７５ａを透して回路基板１００の一面が視認されるとともに、同回路基板１００一面に表示された基板情報１０７を視認することによって、その回路基板１００が正規のものであるか否かの判断を的確に行うことができる。
このため、回路基板１００が不正の回路基板に交換されて不正行為がなされる不具合を防止することができる。
【００４０】
特に、この実施例１においては、回路基板１００の前側に配置される表示ユニット８０の前面装飾枠８１及び表示ユニット８０を、不透明な合成樹脂材によって形成して外観意匠性を確保することができる。
そして、ガラス扉６０の扉本体フレーム６１を金属板によって形成して剛性や耐久性を確保しながら、扉本体フレーム６１の透視部６１ａを透して回路基板１００の基板情報１０７を容易に視認することができる。
例えば、仮に、表示ユニット８０のユニット本体９０を透明な合成樹脂材によって形成し、回路基板１００の前面に基板情報１０７を表示した場合には、そのユニット本体９０を透して回路基板１００前面の基板情報１０７を視認することが可能となるが、この場合には、表示ユニット８０の内部が視認されることとなり、外観意匠が悪化されるが、この実施例１においては、このような不具合を解消することができる。
【００４１】
［実施例１の変更例について］
なお、前記実施例１においては、開閉体としてのガラス扉６０の扉本体フレーム６１に装備ユニットとしての表示ユニット８０が装着される場合を例示したが、ガラス扉６０の扉本体フレーム６１の上部に装着された音響電飾ユニット７０や左右一対のサイド電飾ユニット７３を装備ユニットとした場合においても、この発明を実施することが可能である。
音響電飾ユニット７０や左右一対のサイド電飾ユニット７３には、主制御基板１３１あるいは副制御基板に電気的に接続される回路基板が組み込まれている。
また、図４に示すように、ガラス扉６０の扉本体フレーム６１の下部片側寄りに装着された演出操作用の操作ユニット４６を装備ユニットとした場合においても、この発明を実施することが可能である。
演出操作用の操作ユニット４６は、例えば、図柄表示装置４５に予め設定された複数の抽選図柄パターンを操作ボタン４７の押圧操作によって切り換え可能に構成したり、操作ボタン４７の押圧操作によって当り／はずれの予告を表示したりして遊技者の操作が演出表示に反映される操作部であって、遊技者の参加意欲を高揚させることができる。この操作ユニット４６には主制御基板１３１あるいは副制御基板に電気的に接続される回路基板が組み込まれている。
【実施例２】
【００４２】
次に、この発明の実施例２を図１１〜図２０にしたがって説明する。
図１１は外枠に対し本体枠を開いた状態を斜め左上前方から示す斜視図である。図１２は遊技機の後側全体を示す背面図である。図１３は本体枠の機構装着体に球払出ユニットが装着された状態を示す側断面図である。図１４は球払出ユニットを後側から示す斜視図である。図１５は球払出ユニットの構成部材を分離した状態を後側から示す斜視図である。図１６は球払出ユニットの構成部材を分離した状態を前側から示す斜視図である。図１７は球払出ユニットの背面図である。図１８は図１７のＸＶＩＩＩ−ＸＶＩＩＩ線に基づく断面図である。図１９は球払出ユニットの回路基板を示す断面図である。なお、説明の便宜上、遊技機において遊技者側を前、反対側を後として説明する。
【００４３】
この発明の実施例２においては、外枠１０に開閉可能に設けられかつ遊技盤４０が着脱可能に装着される本体枠２０を開閉体とし、本体枠２０の後側に装着された球払出ユニット１４０を装備ユニットとした場合を例示する。また、この実施例２に係る遊技機の他の構成は、前記実施例１の遊技機と同様にして構成されるため、同一構成部材に対し同一符号を付記している。
【００４４】
［本体枠の後側下部の装備について］
図１１と図１２に示すように、外枠１０の前側に本体枠開閉用ヒンジ機構１６によって開閉可能に装着された本体枠２０において、その前枠体２１の後下部領域の片側（図に向かって左側）には、発射ハンマー１２３、その発射ハンマー１２３を作動する発射モータ１２２等が装着されている。
また、遊技機の後側の所定位置には、主制御基板１３１が収納された主制御基板ボックス１３０、払出制御基板１２８が収納された払出制御基板ボックス１２７が装着されている。
主制御基板１３１は遊技全般の進行を制御し、払出制御基板１２８は球（パチンコ球）の払出を制御するものであり、球を払い出す数を記憶するＲＡＭを備え、主制御基板１３１から送信される払出用信号に従って球を払い出す制御信号を、後述する球払出ユニット１４０内に組み込まれた中継用の回路基板１７０に伝達して払出モータ１６０を作動制御するようになっている。
なお、図２０は、前記実施例１の表示ユニット８０の回路基板１００と、この実施例２の球払出ユニット１４０の回路基板１７０、払出制御基板１２８、主制御基板１３１の接続状態を示すブロック図である。
【００４５】
［本体枠の機構装着体、球タンク、タンクレール、球払出ユニット装着部について］
図１１と図１２に示すように、外枠１０の前側に本体枠開閉用ヒンジ機構１６によって開閉可能に装着された開閉体としての本体枠２０において、その後部に一体に形成された機構装着体２３の後側上部には、球タンク１３５とタンクレール１３６とがそれぞれ配設されている。
図１１と図１２に示すように、本体枠２０の機構装着体２３の片側（図１１に向かって右側）寄りの上下方向には、装備ユニットとしての球払出ユニット１４０に対応する縦長の球払出ユニット装着部２５が形成されている。
図１３に示すように、球払出ユニット装着部２５は、後方に開口する凹状に形成され、その奥壁部（前壁部）２９の所定位置には、球払出ユニット１４０の払出モータ１６０が遊技盤４０の後側に向けて突出可能な開口部２９ａが形成されている。
【００４６】
［装備ユニットとしての球払出ユニットについて］
図１３に示すように、装備ユニットとしての球払出ユニット１４０は、ユニット本体１４１、払出モータ１６０を駆動源とする払出部材１５４、回路基板１７０等が相互に組み付けられてユニット化され、球払出ユニット装着部２５の凹部の後方開口部から嵌込まれて適宜の取付手段（例えば、弾性クリップ、係止爪、ビス等の取付手段）によって着脱可能に装着されるようになっている。
【００４７】
この実施例２において、図１４〜図１６に示すように、球払出ユニット１４０のユニット本体１４１は、前構成体１４２、中間構成体１４３、後構成体１４４及び後カバー体１４５を備えて構成されている。そして、図１７と図１８に示すように、前後及び中間の各構成体１４２、１４３、１４４によってタンクレール１３６の前後のレール通路に出口にそれぞれ連通する流入口を有する球通路１５０が前後複数列（この実施例では前後２列）に区画されて形成されている。
【００４８】
また、図１７に示すように、ユニット本体１４１には、その内部に形成された前後複数列の球通路１５０の下流部が二股状に分岐されて前後複数列の賞球及び貸球用球通路１５１と球抜き用球通路１５２とがそれぞれ形成されている。そして、賞球及び貸球用球通路１５１と球抜き用球通路１５２との分岐部には、球を賞球及び貸球用球通路１５１と球抜き用球通路１５２とのいずれかに振り分けて払い出すための回転体よりなる払出部材１５４が正逆回転可能に配設されている。
また、球払出ユニット１４０のユニット本体１４１の中間構成体１４３、後構成体１４４及び後カバー体１４５は、透明な合成樹脂材により形成され、前構成体１４２は、不透明な合成樹脂材により形成されている。
これによって、ユニット本体１４１の球通路１５０内の球の流れ状態が後カバー体１４５、後構成体１４４及び中間構成体１４３を透して視認可能となっている。
【００４９】
また、この実施例において、図１７と図１８に示すように、前後複数列の球通路１５０の分岐部近傍には、球通路１５０を流れる球を払出部材１５４の直上に流下案内する左右対をなすガイド体１５３が軸１５３ａを中心として回動可能に配設されている。これら対のガイド体１５３の間に跨ってばね１５５が張設されている。これによって、対のガイド体１５３が所定の球案内姿勢に保持されるようになっている。また、後カバー体１４５を開放又は取り外すことによって、対のガイド体１５３の作動不良、例えば、ばね１５５の両端部の掛け止め作業や交換作業が容易に行われるようになっている。
【００５０】
［球払出ユニットの中継用の回路基板及び払出モータについて］
図１５と図１６に示すように、ユニット本体１４１の前構成体１４２の前側には、払出制御基板１２８から送信される払出用信号を払出モータ１６０に伝達する中継用の回路基板１７０が配置されている。
ユニット本体１４１の前構成体１４２の前側には、中継用の回路基板１７０を収納する空間部を隔ててモータ用取付板（ブラケット）１６１が装着されている。この取付板１６１には、払出部材１５４をその中心部の回転軸１６４において正逆方向に回転駆動するための電動アクチュエータとしての払出モータ１６０が装着されている。
図１３に示すように、払出モータ１６０は、球払出ユニット装着部２５の奥壁部２９の開口部２９ａを通して遊技盤４０の後面に向けて突出している。
そして、払出モータ１６０の作動による回転軸１６４の正回転時には、これに基づいて正回転する払出部材１５４によって球が賞球及び貸球用球通路１５１に払い出される。
また、払出制御基板１２８上に配置された図示しない球抜きスイッチを操作することで、払出モータ１６０によって回転軸１６４が逆回転し、これに基づいて逆回転する払出部材１５４によって球が球抜き用球通路１５２に排出されるようになっている。
【００５１】
また、この実施例２においては、図１５と図１６に示すように、払出モータ１６０の取付板１６１の左右両側部には同払出モータ１６０の両側方に沿って側壁部１６３が形成されている。そして、これら両側壁部１６３によって払出モータ１６０が保護されるとともに、同払出モータ１６０の熱が取付板１６１の両側壁部１６３に伝導されて放熱され、これによって払出モータ１６０の過熱による損傷を防止するようになっている。
【００５２】
また、図１５、図１６及び図１８に示すように、払出モータ１６０の回転軸１６４の軸上には、前構成体１４２の前側に位置しかつ光学式検出器（フォトセンサ）１６６によって回転状態が検出される回転盤よりなる被検出体１６５が回転軸１６４と一体状をなして設けられている。この被検出体１６５の外周部には複数のスリット、切欠部等の被検出部が設けられている。
また、光学式検出器１６６は、中継用の回路基板１７０の前面（実装面）の所定位置に設置されており、被検出体１６５の外周部が挿通される溝を隔てて発光素子と受光素子とを対向状に備えている。
【００５３】
なお、光学式検出器１６６によって被検出体（すなわち、払出モータ１６０、回転軸１６４及び払出部材１５４）１６５の回転不良が検出されると、その検出信号が払出制御基板１２８に伝達され、これに基づいて払出制御基板１２８から出力される制御信号によって払出モータ１６０が回転不良の動作を開始する。例えば、球噛み等による回転不良を想定して払出モータ１６０が所定時間において、正逆回転を繰り返す動作が開始され、これによって球噛み等による回転不良が解消されるようになっている。
また、光学式検出器１６６の検出信号が払出制御基板１２８に伝達されると、遊技機の所定位置に設置された報知手段（図示しない）が作動し、例えば、ランプが点灯又は点滅したり、あるいはスピーカが作動することによって、払出モータ１６０、回転軸１６４及び払出部材１５４の回転不良（作動不良）が報知される。また、前記した検出信号（異常信号）をホールコンピュータに出力することも可能である。
【００５４】
前記したように、ユニット本体１４１、払出部材１５４、払出モータ１６０、回路基板１７０等が相互に組み付けられることでユニット化された球払出ユニット１４０が構成される。
そして、球払出ユニット１４０は、そのユニット本体１４１において、本体枠２０の球払出ユニット装着部２５の凹部の後方開口部から嵌込まれて適宜の取付手段（例えば、弾性クリップ、係止爪、ビス等の取付手段）によって着脱可能に装着されるようになっている。
【００５５】
図１３に示すように、開閉体としての本体枠２０の球払出ユニット装着部２５の凹部に、装備ユニットとしての球払出ユニット１４０が装着された状態において、本体枠２０が閉じ状態、開き状態、いずれの状態にあっても回路基板１７０の表裏両面（前後両面）が、同回路基板１７０の前側に配置された不透明部材としての本体枠２０と、同回路基板１７０の後側に後側に配置された不透明部材としての前構成体１４２によって覆われるようになっている。
そして、図１１に示すように、外枠１０に対し本体枠開閉用ヒンジ機構１６を支点として本体枠２０が開かれることで、図１３に示すように、回路基板１７０の後側の不透明部材としての前構成体１４２が、透明な中間構成体１４３及び後構成体１４４を透して視認可能に構成されている。
【００５６】
［ユニット本体の前構成体の透視部と回路基板の基板情報について］
図１５に示すように、後側の不透明部材としてのユニット本体１４１の前構成体１４２には、回路基板１７０の一面（後面）を局部的に透視可能な角孔状の透視部１４２ａが形成されている。
【００５７】
一方、図１５に示すように、回路基板１７０の一面（後面の非実装面）には、前構成体１４２の透視部１４２ａに対応する位置において、基板番号、製造年月日、製造者名、機種名等の基板情報１７４が表示されている。
図１９に示すように、回路基板１７０は、絶縁材よりなるベース板１７１の一面（後面）には、銅箔によって配線パターン１７３が形成され、その配線パターン１７３が透明な絶縁層１７５によって覆われることで回路基板１７０が構成されている。
また、回路基板１７０の一面の基板情報１７４は、同回路基板１７０の一面の配線パターン１７３を形成する銅箔の一部によって形成され、配線パターン１７３とともに透明な絶縁層１７５によって覆われている。
【００５８】
前記したように、回路基板１７０の一面に、配線パターン１７３を形成する銅箔の一部によって基板情報１７４を形成することで、例えば、回路基板１７０の一面にシルク印刷等によって基板情報が表示された場合と比較して印刷コストの低減を図ることができる。さらに、基板情報１７４が透明な絶縁層１７５によって保護されるため、摩擦等によって基板情報１７４が消失され難い。
また、回路基板１７０の反対面（前面の実装面）においては、シルク印刷等によって基板情報が必要に応じて表示される。
なお、図２０に示すように、払出制御基板１２８に電気的に接続された回路基板１７０には、光学式検出器１６６の他、球払出ユニット１４０に組み付けられた払出モータ１６０や払出計数スイッチ、球切れスイッチが電気的に接続されている。
【００５９】
［実施例２の作用効果について］
上述したように構成されるこの実施例２において、本体枠２０の後側の機構装着体２３の球払出ユニット装着部２５に球払出ユニット１４０が装着された状態において、球払出ユニット１４０に組み込まれた回路基板１７０の存在や、同回路基板１７０が正規のものであるか否かを判断する場合、図１２に示すように、外枠１０に対し本体枠開閉用ヒンジ機構１６を支点として本体枠２０が開かれる。
これによって、図１８に示すように、回路基板１７０の後側の不透明部材としての球払出ユニット１４０の前構成体１４２の後面が透明な後構成体１４４及び中間構成体１４３を透して視認可能となる。
そして、前構成体１４２の透視部１４２ａを透して回路基板１７０の一面が視認されるとともに、同回路基板１７０一面に表示された基板情報１７４を視認することによって、その回路基板１７０が正規のものであるか否かの判断を的確に行うことができる。
このため、回路基板１７０が不正の回路基板に交換されて不正行為がなされる不具合を防止することができる。
【００６０】
特に、この実施例２においては、球払出ユニット１４０の前構成体１４２を不透明な合成樹脂材によって形成することによって、前構成体１４２の前側に配置されている部品を隠すことができ、ユニット本体１４１の球通路１５０内の球の流れ状態を透明な後カバー体１４５、後構成体１４４及び中間構成体１４３を透して容易に視認することができる。
しかも、不透明な前構成体１４２によって、球払出ユニット１４０の後方から後構成体１４４及び中間構成体１４３を透して球通路１５０に入射する光を遮光することができ、不透明な前構成体１４２の前側に配置された回路基板１７０の光学式検出器１６６が球払出ユニット１４０の後方からの光によって誤動作される不具合を防止することができる。
【００６１】
［この発明の他の実施例について］
なお、この発明は前記実施例１及び２に限定するものではない。
例えば、前記実施例１及び２においては、前枠体２１、遊技盤装着枠２２及び機構装着体２３が不透明な合成樹脂材によって一体成形されることで本体枠２０が構成される場合を例示したが、遊技盤が着脱可能に装着される遊技盤装着枠が一体に形成されたりあるいは別体の遊技盤装着枠が組み付けられる前枠体が本体枠である場合においてもこの発明を実施することができる。
また、前記実施例１及び２においては、球（パチンコ球）を用いて遊技を行う遊技機（例えば、パチンコ機）である場合を例示したが、メダルを用いて遊技を行う遊技機（例えば、スロットマシン）においてもこの発明を実施することができる。
【図面の簡単な説明】
【００６２】
【図１】この発明の実施例に係る遊技機を斜め右上前方から示す斜視図である。
【図２】同じく遊技機の前側全体を示す正面図である。
【図３】同じく遊技機の外枠の一側に本体枠が開かれその本体枠の一側にガラス扉が開かれた状態を示す斜視図である。
【図４】同じくガラス扉と表示ユニットとを分離して斜め左上前方から示す斜視図である。
【図５】同じくガラス扉を斜め左上後方から示す斜視図である。
【図６】同じく表示ユニットを前側から示す斜視図である。
【図７】同じく表示ユニットの構成部材を分離した状態を前側から示す斜視図である。
【図８】同じく表示ユニットの構成部材を分離した状態を後側から示す斜視図である。
【図９】同じく図５のＩＸ−ＩＸ線に基づく断面図である。
【図１０】同じく表示ユニットの回路基板を示す断面図である。
【図１１】同じく外枠に対し本体枠を開いた状態を斜め左上前方から示す斜視図である。
【図１２】同じく遊技機の後側全体を示す背面図である。
【図１３】同じく本体枠の機構装着体に球払出ユニットが装着された状態を示す側断面図である。
【図１４】同じく球払出ユニットを後側から示す斜視図である。
【図１５】同じく球払出ユニットの構成部材を分離した状態を後側から示す斜視図である。
【図１６】同じく球払出ユニットの構成部材を分離した状態を前側から示す斜視図である。
【図１７】同じく球払出ユニットの背面図である。
【図１８】同じく図１７のＸＶＩＩＩ−ＸＶＩＩＩ線に基づく断面図である。
【図１９】同じく球払出ユニットの回路基板を示す断面図である。
【図２０】同じく表示ユニットの回路基板、球払出ユニットの回路基板、払出制御基板及び主制御基板の接続状態を示すブロック図である。
【符号の説明】
【００６３】
１０  外枠
１６  本体枠開閉用ヒンジ機構
２０  本体枠（開閉体）
４０  遊技盤
４２  遊技領域
６０  ガラス扉（開閉体）
６１  扉本体フレーム
８０  表示ユニット
１００  回路基板
１４０  球払出ユニット
１７０  回路基板
【図１】
2006034513.tif 000003
【図２】
2006034513.tif 000004
【図３】
2006034513.tif 000005
【図４】
2006034513.tif 000006
【図５】
2006034513.tif 000007
【図６】
2006034513.tif 000008
【図７】
2006034513.tif 000009
【図８】
2006034513.tif 000010
【図９】
2006034513.tif 000011
【図１０】
2006034513.tif 000012
【図１１】
2006034513.tif 000013
【図１２】
2006034513.tif 000014
【図１３】
2006034513.tif 000015
【図１４】
2006034513.tif 000016
【図１５】
2006034513.tif 000017
【図１６】
2006034513.tif 000018
【図１７】
2006034513.tif 000019
【図１８】
2006034513.tif 000020
【図１９】
2006034513.tif 000021
【図２０】
2006034513.tif 000022